(57)【特許請求の範囲】
【請求項１】
シート状取付片の幅の２倍の幅を有する長尺シートに、２本の帯紐状部材を、取付位置を長尺シートの長さ方向にずらせてそれぞれクランク状に蛇行させながら連続的に取り付け、該２本の帯紐状部材が長尺シートの長さ方向と平行になる部分では該長尺シートから同じ長さ突出させ、２本の帯紐状部材が平行状態で長尺シートに対して直角方向に取り付けられる部分を１単位として長尺シートを切断するとともに、長尺シートの中央を長さ方向にそって切断して、２本の帯紐状部材で繋がった各切断片をシート状取付片とすることにより製造される運搬用の収納箱や収納袋その他に取り付ける提げ手で、収納箱等の対向する両側面にそれぞれ貼付するポリプロピレン樹脂を主原料とした二軸延伸フィルムによる長方形の１対のシート状の取付片と、この取付片間に、クロスさせた状態で取り付けた把手となる２本のポリエチレン、ポリプロピレンなどの合成樹脂低発泡体または合成樹脂で発泡しない材質のもので形成する帯紐状部材とを前記取付片の一方の面に接着剤を均一に塗布し、この接着剤により前記帯紐状部材を取付片に接着し、該２本の帯紐状部材を挟むようにして取付片に貼付した離型紙とで構成したもので、該２本の帯紐状部材の取付片への取付部は平行に配置したことを特徴とする提げ手。
【請求項２】
運搬用の収納箱や収納袋その他に取り付ける提げ手で、収納箱等の対向する両側面にそれぞれ貼付するポリプロピレン樹脂を主原料とした二軸延伸フィルムによる長方形の１対のシート状の取付片と、この取付片間に、クロスさせた状態で取り付けた把手となる２本の帯紐状部材と、該２本の帯紐状部材を挟むようにして取付片に貼付した離型紙とで構成する提げ手の製造方法であり、シート状取付片の幅の２倍の幅を有する長尺シートに、２本の帯紐状部材を、取付位置を長尺シートの長さ方向にずらせてそれぞれクランク状に蛇行させながら連続的に取り付け、該２本の帯紐状部材が長尺シートの長さ方向と平行になる部分では該長尺シートから同じ長さ突出させ、２本の帯紐状部材が平行状態で長尺シートに対して直角方向に取り付けられる部分を１単位として長尺シートを切断するとともに、長尺シートの中央を長さ方向にそって切断して、２本の帯紐状部材で繋がった各切断片をシート状取付片とすることを特徴とする提げ手の製造方法。
【発明の詳細な説明】
【０００１】
【発明の属する技術分野】
本発明は、運搬用の収納箱や収納袋その他に取り付ける提げ手およびその製造方法に関するものである。
【０００２】
【従来の技術】
近年、例えば350 ml入りのビール缶などの飲料缶をケース売りすることが多くなり、24個を１箱に詰めて販売している。飲料缶を収納する箱は通常、段ボール箱で、350 ml入りのビール缶を24個詰める場合、収納箱のサイズは縦120 mm、横400 mm、高さ270mm となり、購入者がこの箱ごとビール缶を持ち帰るには手で抱えたり、あるいは図８のように収納箱１の周囲に紐21を巻回し、これに別途用意した合成樹脂製の把手22を取り付けている。
【０００３】
【発明が解決しようとする課題】
24個ものビール缶を収納した箱を手で抱えて運ぶには、重く、長時間の運搬は困難である。また、収納箱に紐を掛ける場合は、例えばロール状に巻いてある紐を繰り出して箱の周面に回しくくり付けてから紐の端部を結び、さらに紐をロール状に巻いてある部から切断する作業を要し、しかもこの作業は少なくとも２ヵ所必要とし、最後にこのように２ヵ所に巻回した紐に把手を取り付ける作業となり、作業が煩雑で手間と時間を要する。
【０００４】
ところで、このような収納箱ではなく、商品携帯用の紙袋に使用する手提部として、図９に示すような合成紙による取付片23とこの取付片23に貼付したポリプロピレンなどの合成樹脂製の帯紐状の把手24とで構成するものがある。
【０００５】
これは、取付片23の一方の面に接着剤を塗布し、この面に帯紐状の把手24を接着し、取付片23を紙袋25の上部両側に接着する。
【０００６】
このような手提部をビール缶などの飲料缶の収納箱に上側部に貼付して使用することも考えられるが、幅120 mmの両側面に取付片23をそれぞれ別個に貼付するとなると、貼付位置が対称にならず対向位置からずれることもあり、運搬時に両側の取付片23の把手24が合わさらないで、掴みにくくなるおそれがある。
【０００７】
また、前記のように取付片23は幅120 mmの両側面に貼付されるため、運搬時には２本の帯紐状の把手24を収納箱の中央に手繰り寄せるようにして２本の把手24を合わせる必要があり、使い勝手がよくない。
【０００８】
さらに、２本の把手24を合わせて手で握ったとき、両把手24は長さ方向が手の中で上下に重合状態になりやすく、１本分の把手24の幅のものを握ることになり、手に加わる単位面積当たりの重量が大きくなって、重く感じる。
【０００９】
一方、把手24をポリプロピレンなどの低発泡体の合成樹脂で製作すると、例えば湾曲した把手形状が不使用時にも保持されているため、保管時に嵩張ったり、保管状態によっては絡みあうこともある。
【００１０】
本発明の目的は前記従来例の不都合を解消し、ビール缶などの飲料缶を多数本収納した箱に簡単に取り付けることができ、しかも取付の位置決めも容易で、使用に際しても把手を掴みやすく、保管時にも嵩張らず、使い勝手のよい提げ手およびその製造方法を提供することにある。
【００１１】
【課題を解決するための手段】
本発明は前記目的を達成するため、第１に、シート状取付片の幅の２倍の幅を有する長尺シートに、２本の帯紐状部材を、取付位置を長尺シートの長さ方向にずらせてそれぞれクランク状に蛇行させながら連続的に取り付け、該２本の帯紐状部材が長尺シートの長さ方向と平行になる部分では該長尺シートから同じ長さ突出させ、２本の帯紐状部材が平行状態で長尺シートに対して直角方向に取り付けられる部分を１単位として長尺シートを切断するとともに、長尺シートの中央を長さ方向にそって切断して、２本の帯紐状部材で繋がった各切断片をシート状取付片とすることにより製造される運搬用の収納箱や収納袋その他に取り付ける提げ手で、収納箱等の対向する両側面にそれぞれ貼付するポリプロピレン樹脂を主原料とした二軸延伸フィルムによる長方形の１対のシート状の取付片と、この取付片間に、クロスさせた状態で取り付けた把手となる２本のポリエチレン、ポリプロピレンなどの合成樹脂低発泡体または合成樹脂で発泡しない材質のもので形成する帯紐状部材とを前記取付片の一方の面に接着剤を均一に塗布し、この接着剤により前記帯紐状部材を取付片に接着し、該２本の帯紐状部材を挟むようにして取付片に貼付した離型紙とで構成したもので、該２本の帯紐状部材の取付片への取付部は平行に配置したことを要旨とするものである。
【００１２】
第２に、提げ手の製造方法として、運搬用の収納箱や収納袋その他に取り付ける提げ手で、収納箱等の対向する両側面にそれぞれ貼付するポリプロピレン樹脂を主原料とした二軸延伸フィルムによる長方形の１対のシート状の取付片と、この取付片間に、クロスさせた状態で取り付けた把手となる２本の帯紐状部材と、該２本の帯紐状部材を挟むようにして取付片に貼付した離型紙とで構成する提げ手の製造方法であり、シート状取付片の幅の２倍の幅を有する長尺シートに、２本の帯紐状部材を、取付位置を長尺シートの長さ方向にずらせてそれぞれクランク状に蛇行させながら連続的に取り付け、該２本の帯紐状部材が長尺シートの長さ方向と平行になる部分では該長尺シートから同じ長さ突出させ、２本の帯紐状部材が平行状態で長尺シートに対して直角方向に取り付けられる部分を１単位として長尺シートを切断するとともに、長尺シートの中央を長さ方向にそって切断して、２本の帯紐状部材で繋がった各切断片をシート状取付片とすることを要旨とするものである。
【００１３】
請求項１記載の本発明によれば、収納箱等の対向する両側面にそれぞれ貼付する１対のシート状取付片は、該取付片にクロスさせた状態で取り付けてある把手となる２本の帯紐状部材で繋がっているから、幅を有する収納箱等の両側に取付片を貼付するとき、１対の取付片を対向位置に位置させやすい。
【００１４】
また、使用時に２本の帯紐状部材は手で掴む頂点の部分がクロスしているから、２本の帯紐状部材を箱等の両側から引き寄せて合わせる必要がなく、掴みやすく、使い勝手がよい。
【００１５】
さらに、提げ手単独の販売形態を考慮して、２本の帯紐状部材を挟むようにして取付片に離型紙を貼付しておくようにすれば、需要者は使用時に離型紙をはがして帯紐状の把手が接着されている取付片を収納箱等の両側に取付片を貼付する。また、離型紙の幅を取付片よりも多少大きめに形成して剥がししろを確保するようにすれば、離型紙を剥がしやすい。
【００１６】
請求項２記載の本発明によれば、シート状取付片の幅の２倍の幅を有する長尺シートに２本の帯紐状部材をずらせてクランク状に蛇行させながら連続的に取り付けることにより、該長尺シートを長さ方向の中央箇所と、２本の帯紐状部材が平行状態で長尺シートに対して直角方向に取り付けられ部分を１単位としてこの箇所とで切断すれば、長さ方向に隣接する２片の切断片で２本の帯紐状部材がクロスして繋がった一対のシート状取付片が得られ、１本の長尺シートと２本の帯紐状部材を使用してこれらが一体となったものを最終工程で同時に切断するだけで２本の帯紐状部材でつながった１対の取付片が得られる。
【００１７】
【発明の実施の形態】
以下、図面について本発明の実施の形態を詳細に説明する。図１は本発明の提げ手の第１実施形態を示す使用状態を示す斜視図、図２は同上正面図、図３は同上開いた状態の平面図で、本発明の提げ手２は、その対象がダンボール等の収納箱１の場合はその対向する両側面１ａ，１ｂにそれぞれ貼付する長方形の１対のシート状の取付片３ａ，３ｂと、この取付片３ａ，３ｂ間に、クロスさせた状態で取り付けた把手４となる２本の帯紐状部材５ａ，５ｂと、該２本の帯紐状部材５ａ，５ｂを挟むようにして取付片１ａ，１ｂに貼付した離型紙６とで構成する。
【００１８】
シート状の取付片３ａ，３ｂは、一例として、ポリプロピレン樹脂を主原料とし、これに無機充填材と少量の添加剤を配合して二軸延伸フィルム成形法により製造した三層構造の合成紙（王子油化合成紙株式会社、商品名  ユポ）を用いる。この三層構造の合成紙の他には一層構造のポリプロピレン樹脂を主原料とした二軸延伸フィルムやそれに代わるものでもよい。
【００１９】
把手４となる帯紐状部材５ａ，５ｂは、ポリエチレン、ポリプロピレンなどの合成樹脂低発泡体または合成樹脂で発泡しない材質のもので形成する。
【００２０】
そして、前記取付片３ａ，３ｂの一方の面に例えばエチレンー酢酸ビニル（ＥＶＡ）系エマルジョンの接着剤（王子油化合成紙株式会社、商品名  ユポＥＰＧ）７を均一に塗布し、この接着剤７により前記帯紐状部材５ａ，５ｂを取付片３ａ，３ｂに接着する。接着剤としてはアクリル系の接着剤もしくはそれに代わるゴム系接着剤その他のものも使用できる。
【００２１】
この場合、図２にも示すように２本の帯紐状部材５ａ，５ｂは各帯紐状部材５ａ，５ｂの一端が一方の取付片３ａに、他端が他方の取付片３ｂに接着され、取付片３ａ，３ｂへの接着部では帯紐状部材５ａ，５ｂの２本が平行になるように配置するとともに、取付片３ａ，３ｂに対しては直角に取り付け、図３にも示すように中央で上下に重合してクロスするように対向する取付片３ａ，３ｂに対して対角位置に取り付ける。
【００２２】
取付片３ａ，３ｂの接着剤７を塗布した面には、帯紐状部材５ａ，５ｂを挟むようにして離型紙６を貼付する。なお、離型紙６を剥がしやすいように該離型紙６の幅を取付片３ａ，３ｂよりも多少大きめに形成して剥がししろを確保できるようにしておく。
【００２３】
なお、帯紐状部材５ａ，５ｂの取付片３ａ，３ｂと接着しない面、すなわち離型紙６との接合面側にはホットメルト系接着剤を塗布しておき、離型紙６を剥がした時にはこのホットメルト系接着剤をもって帯紐状部材５ａ，５ｂの端をダンボール等の収納箱１の両側面１ａ，１ｂに貼付するようにしてもよい。ホットメルト系接着剤13としては、コニシ株式会社製造の商標名、ボンドホットメルトＭＵ８０（主成分：合成ゴム）が好適である。
【００２４】
このようにすれば、取付片３ａ，３ｂの接着剤が作用しない部分をこのホットメルト系接着剤で補い、帯紐状部材５ａ，５ｂをしっかり固定することができる。
【００２５】
次に、この第１実施形態として示した提げ手２の製造方法を図５について説明する。取付片３ａ，３ｂとなる長尺シート状の合成紙18を巻回したロール12と、帯紐状部材５ａ，５ｂをそれぞれ巻回したロール19ａ，19ｂと、離型紙６を巻回したロール20をセットし、第１工程では各ロール12、19ａ，19ｂ、20から合成紙18、帯紐状部材５ａ，５ｂ、離型紙６を引き出す。この場合、合成紙18は、取付片３ａ，３ｂの幅の２倍の幅を有するものとし、別の離型紙13を貼付しておき、合成紙18の引出し後にこの離型紙13を合成紙18から剥がして巻き取る。
【００２６】
次の第２工程以降は、基本的構成としては、まず第２工程で、離型紙13を剥がした合成紙18に帯紐状部材５ａ，５ｂを接着し、第３工程で帯紐状部材５ａ，５ｂを接着した合成紙18に離型紙６をホットメルトにより貼着後、プレス機14でプレスして貼付し、第４工程で帯紐状部材５ａ，５ｂと離型紙６を接着した合成紙18をスリッター15で長さ方向にそって中央をカットし、さらに第５工程として長さ方向に直角の方向にカッター16で合成紙18を切断し、この切断片を取付片３ａ，３ｂとする。
【００２７】
ここで、前記第２工程から第５工程の、合成紙18に帯紐状部材５ａ，５ｂを接着してからこれを切断する工程について、帯紐状部材５ａ，５ｂの接着の配置箇所と、切断箇所との関係を図６について説明する。２本の帯紐状部材５ａ，５ｂを平行状態で合成紙18の長さ方向と直角の方向に向けて接着する。このときの、２本の帯紐状部材５ａ，５ｂが平行状態で収まる合成紙18の長さ方向の長さは、製品となる取付片３ａ，３ｂの長さとする。
【００２８】
そして、２本の帯紐状部材５ａ，５ｂが合成紙18から突出する部分は、ガイドローラ17などを使用して突出の長さを等しくするとともに、直角に曲げて合成紙18の長さ方向と平行に方向付ける。
【００２９】
このようにして合成紙18から突出させた２本の帯紐状部材５ａ，５ｂを再び直角に曲げて合成紙18の長さ方向と直角の方向に向けて接着する。こうして２本の帯紐状部材５ａ，５ｂを、取付位置を長尺シート状の合成紙18の長さ方向にずらせてそれぞれクランク状に蛇行させながら連続的に取り付ける。
【００３０】
かかる状態の合成紙18を長さ方向にそって中央を切断するとともに、２本の帯紐状部材５ａ，５ｂが合成紙18の一方の側でまとまっている箇所（図６でＡ，Ｂ，Ｃ，Ｄの符号で示した位置）で合成紙18を長さ方向と直角の方向に切断する。
【００３１】
こうして得られた切断片のうち、長さ方向に隣接する１組のものが図７に示すように２本の帯紐状部材５ａ，５ｂでつながった１対の取付片３ａ，３ｂとなり、この１対の取付片３ａ，３ｂを向かい合わせにすれば、２本の帯紐状部材５ａ，５ｂは中央でクロスする状態となる。
【００３２】
この場合、図６に示すように切断前の合成紙18では１対の取付片３ａ，３ｂはこれを１組としたとき千鳥状に配置されることになる。すなわち、１対の取付片３ａ，３ｂのうちのいずれか一方と、別の１対の取付片３ａ，３ｂのうちのいずれか一方とが長尺なシート状の合成紙18の中央の切断箇所を挟んで隣接する。
【００３３】
以上のようにして製作された提げ手２を使用してビール缶などの飲料缶を収納した収納箱１を運搬するには、図４に示すような閉じた状態の対向する取付片３ａ，３ｂを開いて、離型紙６を剥がして取付片３ａ，３ｂの接着面を収納箱１の両側面１ａ，１ｂの上部に接着すれば、２本の帯紐状部材５ａ，５ｂによる把手４の部分が収納箱１の上方に突出するから、これを手で握ればよい。
【００３４】
このとき、１対の取付片３ａ，３ｂは２本の帯紐状部材５ａ，５ｂで繋がっているから、幅を有する収納箱１の両側に貼付するとき、対向位置に位置させやすく、ずれた位置に貼付することを防げる。
【００３５】
また、２本の帯紐状部材５ａ，５ｂは手で掴む頂点の部分がクロスしているから、２本の帯紐状部材５ａ，５ｂを収納箱１の両側から引き寄せて合わせる必要がなく、掴みやすく、使い勝手がよい。
【００３６】
以上の実施形態は本発明の提げ手を飲料缶等の収納箱の提げ手として使用する場合について説明したが、以外に運搬用の収納袋にも使用できるし、さらに、嵩のある運搬物そのものに直接取付けて使用することも可能である。
【００３７】
【発明の効果】
以上述べたように本発明の提げ手は、収納箱の対向する両側面にそれぞれ貼付する１対のシート状取付片は、該取付片にクロスさせた状態で取り付けてある把手となる２本の帯紐状部材で繋がっているから、幅を有する収納箱の両側に取付片を貼付するとき、１対の取付片を対向位置に位置させやすい。
【００３８】
また、使用時に２本の帯紐状部材は手で掴む頂点の部分がクロスしているから、２本の帯紐状部材を箱の両側から引き寄せて合わせる必要がなく、掴みやすく、使い勝手がよい。
【００３９】
そして、提げ手の製造に際しては、シート状取付片の幅の２倍の幅を有する長尺シートに２本の帯紐状部材をずらせてクランク状に蛇行させながら連続的に取り付けることにより、該長尺シートを長さ方向の中央箇所と、２本の帯紐状部材が平行状態で長尺シートに対して直角方向に取り付けられ部分を１単位としてこの箇所とで切断すれば、長さ方向に隣接する２片の切断片で２本の帯紐状部材がクロスして繋がった一対のシート状取付片が得られるから、１本の長尺シートと２本の帯紐状部材を使用してこれらが一体となったものを最終工程で同時に切断するだけで２本の帯紐状部材でつながった１対の取付片が得られ、製造工程を簡略化できるものである。
【図面の簡単な説明】
【図１】本発明の提げ手の第１実施形態を示す使用状態の斜視図である。
【図２】本発明の提げ手の第１実施形態を示す正面図である。
【図３】本発明の提げ手の第１実施形態を示す開いた状態の平面図である。
【図４】本発明の提げ手の第１実施形態を示す閉じた状態の側面図である。
【図５】本発明の提げ手の製造方法を示す説明図である。
【図６】本発明の提げ手の製造方法を示す要部である最終工程の説明図である。
【図７】本発明の提げ手の製造方法で得られた切断後の提げ手の正面図である。
【図８】従来の収納箱の提げ手を示す斜視図である。
【図９】従来の提げ手を示す正面図である。
【符号の説明】
１…収納箱                      １ａ，１ｂ…両側面
２…提げ手                      ３ａ，３ｂ…取付片
４…把手                        ５ａ，５ｂ…帯紐状部材
６…離型紙                      ７…接着剤
12…ローラ                      13…離型紙
14…プレス機                    15…スリッター
16…カッター                    17…ガイドローラ
18…合成紙                      19ａ，19ｂ…ロール
20…ロール                      21…紐
22…把手                        23…取付片
24…把手                        25…紙袋
【図１】
0003599307.tif 000002
【図２】
0003599307.tif 000003
【図３】
0003599307.tif 000004
【図４】
0003599307.tif 000005
【図５】
0003599307.tif 000006
【図６】
0003599307.tif 000007
【図７】
0003599307.tif 000008
【図８】
0003599307.tif 000009
【図９】
0003599307.tif 000010